Podtech/llm-jp-corpus-v4-ja_patent huggingface dataset:
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
信号を送受信する複数のアンテナを備え、
少なくとも、１アンテナ・モードおよび閉ループＳＵ−ＭＩＭＯモードを上りリンク送信モードとしてサポートし、
前記複数のアンテナのサブセットが、１アンテナ・モードにおける上りリンク信号の送信に用いられ、
上記上りリンク送信モードは無線リソース制御（ＲＲＣ）信号により構成されていることを特徴とするユーザ端末（ＵＥ）。
【請求項２】
測定参照信号を送信するトランスミッターを備えていることを特徴とする請求項１に記載のユーザ端末。
【請求項３】
イーノードＢ（ｅＮＢ）へ電力消費に関する選好信号を送信することを特徴とする請求項１に記載のユーザ端末。
【請求項４】
上記選好信号は、ＭＡＣ制御信号を用いて送信されることを特徴とする請求項３に記載のユーザ端末。
【請求項５】
上記選好信号は、無線リソース制御信号を用いて送信されることを特徴とする請求項３に記載のユーザ端末。
【請求項６】
上記選好信号は、ＵＥ能力問合わせメッセージを用いて送信されることを特徴とする請求項３に記載のユーザ端末。
【請求項７】
上記選好信号は、測定報告を用いて送信されることを特徴とする請求項３に記載のユーザ端末。
【請求項８】
上記選好信号は、ＮＡＳ制御信号を用いて送信されることを特徴とする請求項３に記載のユーザ端末。
【請求項９】
上記選好信号は、ユーザ端末のタイプ、バッテリー状況、またはアプリケーションのタイプのうちの少なくとも１つを含むことを特徴とする請求項３に記載のユーザ端末。
【請求項１０】
上りリンクの送信に用いるユーザ端末（ＵＥ）の送信方法であって、
上記ユーザ端末は、少なくとも、１アンテナ・モードおよび閉ループＳＵ−ＭＩＭＯモードを上りリンク送信モードとしてサポートし、
上記ユーザ端末の複数のアンテナのサブセットが、１アンテナ・モードにおける上りリンク信号の送信に用いられ、
上記上りリンク送信モードは、無線リソース制御（ＲＲＣ）信号により構成されていることを特徴とするユーザ端末の送信方法。
【請求項１１】
ユーザ端末（ＵＥ）が、少なくとも、１アンテナ・モードまたは閉ループＳＵ−ＭＩＭＯモードを、上りリンク送信モードとして運用するかを設定するユニットと、
上記ユーザ端末の上りリンク送信モードを、無線リソース制御（ＲＲＣ）信号により設定するユニットと、
を備えることを特徴とするイーノードＢ（ｅＮＢ）。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
復号化された隣の２-タプルに基づいたコンテクストを使用して、復号化される現在２-タプルの最上位ビット(ＭＳＢ)を復号化する段階と、
前記現在２-タプルの最下位ビット(ＬＳＢ)を復号化する段階と、
を含むスペクトル無損失復号化方法。
【請求項２】
前記ＭＳＢを復号化する段階は、
前記現在２-タプルに隣り合い、既に復号化されたスペクトル係数に基づいて第１コンテクストを決定する段階と、
前記第１コンテクストから得られる第１確率モデルを利用して、前記現在２-タプルのＭＳＢを復号化する段階と、
を含む、請求項１に記載のスペクトル無損失復号化方法。
【請求項３】
前記ＬＳＢを復号化する段階は、
上位ビットプレーンを考慮して第２コンテクストを決定する段階と、
前記第２コンテクストから得られる第２確率モデルを利用して、前記現在２-タプルのＬＳＢを復号化する段階と、
を含む、請求項１に記載のスペクトル無損失復号化方法.
【請求項４】
前記第２コンテクストは、前記現在２-タプルの各スペクトル係数が０であるか否かを示す情報を含む、ことを特徴とする請求項１に記載のスペクトル無損失復号化方法。
【請求項５】
前記ＬＳＢを復号化する段階では前記現在２-タプルで復号化される成分が全て０でない場合、前記第２コンテクストを利用して前記ＬＳＢを復号化する、ことを特徴とする請求項４に記載のスペクトル無損失復号化方法。
【請求項６】
復号化された隣の２-タプルに基づいたコンテクストを利用して、復号化される現在２-タプルの最上位ビットを復号化する第１復号化部と、
前記現在２-タプルの最上位ビットを復号化する第２復号化部と、
を含むことを特徴とするスペクトル無損失復号化装置。
【請求項７】
前記第１復号化部は、前記現在２-タプルに隣り合い、既に復号化されたスペクトル係数に基づいて第１コンテクストを決定し、前記第１コンテクストから得られる第１確率モデルを利用して前記現在２-タプルのＭＳＢを復号化するように構成される、
ことを特徴とする請求項６に記載のスペクトル無損失復号化装置。
【請求項８】
前記第２復号化部は、上位ビットプレーンを考慮して第２コンテクストを決定し、前記第２コンテクストから得られる第２確率モデルを利用して前記現在２-タプルのＬＳＢを復号化するように構成される、
ことを特徴とする請求項６に記載のスペクトル無損失復号化装置。
【請求項９】
前記第２コンテクストは、前記現在２-タプルの各スペクトル係数が０であるか否かを示す情報を含む、
ことを特徴とする請求項６に記載のスペクトル無損失復号化装置。
【請求項１０】
前記第２復号化部では前記現在２-タプルで復号化される成分が全て０でない場合、前記第２コンテクストを利用して前記ＬＳＢを復号化する、
請求項９に記載のスペクトル無損失復号化装置。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
内部を画定し、向かい合う壁を有するハウジングと、
一対の離隔配置されたレールを備えるカードレールアセンブリであって、各レールが、向かい合う壁の対向するレールに、互いに熱伝導するように取り付けられ、各レールが、レール間に延在する所定の高さを有する効果的なスロットを画定するようにチャネルを有する、カードレールアセンブリと、
プリント回路板と、前記プリント回路板の基板と間隔をおいて重畳関係にある伝熱平面とを備える回路カードアセンブリであって、
前記プリント回路板は、その上に発熱構成要素が位置する基板と、前記プリント回路板の外縁部の全長に沿って位置された熱伝導性の側部ストリップと、前記発熱構成要素から前記熱伝導性側部ストリップのうちの少なくとも１つへ延在する少なくとも１つの熱伝導性要素とを備え、
前記プリント回路板の前記基板が第１の主平面を画定し、伝熱平面が第２の主平面を画定する、
回路カードアセンブリと
を備え、
前記プリント回路板と前記伝熱平面の空間的関係が、前記回路カードアセンブリが前記カードレールアセンブリに取り付けられたときに前記第１及び第２の主平面が前記スロット内部に位置されるようなものであり、
前記伝熱平面が、前記レールの少なくとも一方のレールに直接接触して前記少なくとも一方のレールと導電結合されて、前記伝熱平面から前記向かい合う壁の少なくとも一方への第１の導電性経路を形成し、
前記プリント回路板が、前記熱伝導性側部ストリップを通って前記レールの少なくとも一方に導電結合されて、前記プリント回路板から前記向かい合う壁の少なくとも一方への第２の導電性経路を形成し、
前記熱伝導性側部ストリップは、前記回路カードアセンブリが前記スロット内部に受け取られたときに前記カードレールと縦方向に位置合わせされる、
アビオニクスシャーシ。
【請求項２】
前記プリント回路板が、前記第２の導電性経路を形成するために、前記対応する少なくとも一方のレールに直に接触する請求項１に記載のアビオニクスシャーシ。
【請求項３】
前記回路カードアセンブリが、前記レール内で前記プリント回路板を選択的に係止するための楔係止をさらに備え、前記楔係止が、対応する第１又は第２の導電性経路の一部分を形成するために熱導電性である請求項１に記載のアビオニクスシャーシ。
【請求項４】
前記伝熱平面が、炭素繊維強化複合材と炭素−炭素複合材の少なくとも一方から形成される請求項１に記載のアビオニクスシャーシ。
【請求項５】
前記炭素繊維が、前記伝熱平面が２次元平面、３次元平面、及び１次元平面の少なくとも１つで熱伝導性であるようにレイアップされる請求項４に記載のアビオニクスシャーシ。
【請求項６】
前記炭素繊維が、前記伝熱平面が前記レールに向かって横方向に熱を伝導するようにレイアップされる請求項５に記載のアビオニクスシャーシ。
【請求項７】
前記伝熱平面が熱分解性炭素からなる請求項１に記載のアビオニクスシャーシ。
【請求項８】
前記伝熱平面が、前記第１の導電性経路の一部を形成するために前記発熱構成要素を前記伝熱平面に導電結合する熱パッドをさらに備える請求項１に記載のアビオニクスシャーシ。
【請求項９】
前記熱パッドが熱伝導性材料から形成される請求項８に記載のアビオニクスシャーシ。
【請求項１０】
前記熱パッドが前記発熱構成要素に直に接触する請求項８に記載のアビオニクスシャーシ。
【請求項１１】
前記熱パッドが、前記プリント回路板に対して調節可能である請求項１０に記載のアビオニクスシャーシ。
【請求項１２】
前記回路カードアセンブリが、前記回路カードアセンブリが前記スロット内部に位置されるときに前記プリント回路板と前記伝熱平面の間に位置される補剛具をさらに備える請求項１に記載のアビオニクスシャーシ。
【請求項１３】
前記補剛具の一部分が、前記回路カードアセンブリが前記スロット内部に位置されるときに前記カードレールの一方の内部に位置されて、前記第１及び第２の導電性経路の少なくとも一方の一部分を形成する請求項１２に記載のアビオニクスシャーシ。
【手続補正書】
【提出日】平成25年6月19日(2013.6.19)
【手続補正１】
【補正対象書類名】特許請求の範囲
【補正対象項目名】請求項１５
【補正方法】変更
【補正の内容】
【請求項１５】
前記洗浄剤ディスペンサは、前記洗浄剤を供給するために供給孔を有する近接ヘッドであり、前記近接ヘッドの前記供給孔の大きさは、前記基板表面に前記洗浄剤を適用することができるよう、ＰＶＡ粒子の大きさより大きい、請求項１４に記載の装置。
【手続補正２】
【補正対象書類名】明細書
【補正対象項目名】００５２
【補正方法】変更
【補正の内容】
【００５２】
本発明をいくつかの実施形態に関して記載してきたが、当業者が、本願明細書を読み、その図面を吟味すれば、さまざまな変更、追加、置換およびその均等物を実施できることが理解されよう。したがって、本発明は、本発明の真の趣旨および範囲内にそのような変更、追加、置換および均等物をすべて含むことが意図される。本願の特許請求の範囲では、要素および／または工程は、本願の特許請求の範囲で明確に言及しない限り、処理の特定の順序を含意しない。
適用例１：半導体基板表面から汚染物質を除去するための洗浄剤であって、独特な粘弾性を示し、ポリマー化合物と、脱イオン水と、長いポリマー鎖を有する１または複数の添加剤と、の単相混合物である洗浄液と、前記洗浄剤を生成するために前記洗浄液に分散され、マイクロメートル単位の大きさである複数の乾燥ポリビニルアルコール（ＰＶＡ）粒子と、を備え、前記乾燥ビニルアルコール粒子は、前記洗浄液の液体を吸収し、前記洗浄剤中に均一に懸濁され、前記洗浄剤に均一に懸濁されている前記乾燥ビニルアルコール粒子は、少なくとも一部の汚染物質と相互作用して前記基板表面から前記汚染物質を遊離し、遊離された前記汚染物質は、前記洗浄剤中に取り込まれる、洗浄剤。
適用例２：前記乾燥ＰＶＡ粒子は、複数の細孔を含み、前記細孔の大きさは、前記乾燥ＰＶＡ粒子の化学組成に基づいて異なる、適用例１に記載の洗浄剤。
適用例３：前記基板表面から遊離された前記汚染物質は、前記洗浄剤中に懸濁されている前記ＰＶＡ粒子の前記複数の細孔内に取り込まれる、適用例１に記載の洗浄剤。
適用例４：前記基板表面から遊離された前記汚染物質は、前記洗浄剤の前記長いポリマー鎖中に取り込まれる、適用例１に記載の洗浄剤。
適用例５：前記乾燥ＰＶＡ粒子は、ばね定数によって定義され、前記ばね定数は、前記洗浄剤を適用する際に変形したり、形を取り戻したりするための柔軟性を前記乾燥ＰＶＡ粒子に与える、適用例１に記載の洗浄剤。
適用例６：前記洗浄液における前記ＰＶＡ粒子の懸濁は、前記乾燥ＰＶＡ粒子によって洗浄液の水分を吸収し、前記ＰＶＡ粒子は膨張して前記洗浄液の前記長いポリマー鎖中に取り込まれ、取り込まれた前記ＰＶＡ粒子は、前記汚染物質と相互作用する際に柔軟性のあるマイクロブラシとして作用し、これにより、前記基板表面に形成されたフィーチャーへの損傷が防止される、適用例１に記載の洗浄剤。
適用例７：前記ＰＶＡ粒子は前記洗浄剤と共に、前記基板表面に適用された前記洗浄剤に加えられる力によって、前記基板に形成されている半導体素子の周囲で変形し、前記ＰＶＡ粒子は、相互作用時にせん断力をさらに加え、前記フィーチャーに機械的損傷をもたらすことなく前記基板表面から前記汚染物質を除去する、適用例１に記載の洗浄剤。
適用例８：前記乾燥ＰＶＡ粒子は、複数の細孔を含み、前記洗浄剤に懸濁されている前記乾燥ＰＶＡ粒子の大きさは、対応する前記細孔より大きくなるように前記細孔の大きさによって定義され、これにより前記ＰＶＡ粒子の構造的完全性および機能性を維持する、適用例１に記載の洗浄剤。
適用例９：前記乾燥ＰＶＡ粒子の大きさは、約２０〜約２００マイクロメートルである、適用例８に記載の洗浄剤。
適用例１０：前記洗浄剤は、約１〜約５重量％の乾燥ＰＶＡ粒子から成る、適用例１に記載の洗浄剤。
適用例１１：前記洗浄剤は、約０．１〜約２０重量％の乾燥ＰＶＡ粒子から成る、適用例１に記載の洗浄剤。
適用例１２：前記洗浄液は、脱イオン水、ポリマー化合物、ｐＨ調整剤および他の添加剤から成る群から選択される、適用例１に記載の洗浄剤。
適用例１３：前記乾燥ＰＶＡ粒子の大きさは、約４５〜１５０マイクロメートルから約１０００〜１１８０マイクロメートルに及ぶ、適用例１に記載の洗浄剤。
適用例１４：半導体基板表面から汚染物質を除去するための装置であって、前記基板を受け取り、保持し、平面に沿って移動させる基板支持機構と、前記半導体基板表面に洗浄剤を適用するための洗浄剤ディスペンサと、を備え、前記洗浄剤は、独特な粘弾性を示し、長いポリマー鎖の単相ポリマー化合物である洗浄液と、前記洗浄剤を生成するために前記洗浄液に分散され、マイクロメートル単位の大きさである複数の乾燥ポリビニルアルコール（ＰＶＡ）粒子と、を含み、前記乾燥ビニルアルコール粒子は、前記洗浄液の液体を吸収して前記洗浄剤中に均一に懸濁されるようになり、均一に懸濁された前記乾燥ビニルアルコール粒子は、少なくとも一部の汚染物質と相互作用し、前記基板表面から前記汚染物質を遊離し、遊離された前記汚染物質は、前記洗浄剤中に取り込まれる、装置。
適用例１５：前記洗浄剤ディスペンサは、前記洗浄剤を供給するために供給孔を有する近接ヘッドであり、前記供給ヘッドの前記供給孔の大きさは、前記基板表面に前記洗浄剤を適用することができるよう、ＰＶＡ粒子の大きさより大きい、適用例１４に記載の装置。
適用例１６：前記供給孔の大きさは、約０．８７５〜約１０ｍｍである、適用例１５に記載の装置。
適用例１７：前記半導体基板は、前記近接ヘッドの下方に移動し、前記半導体基板の移動は、前記洗浄剤と前記基板表面との間にせん断力をもたらし、前記洗浄剤中のＰＶＡ粒子は、前記基板表面から前記汚染物質を遊離させるために、更なるせん断力を提供する、適用例１５に記載の装置。
適用例１８：前記洗浄剤ディスペンサは噴出口である、適用例１４に記載の装置。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
向かい合う平型電流導体を有する、電気的エネルギーを貯蔵および放出するための、複数の平型貯蔵セルと、
貯蔵セルを保持するための複数のフレーム要素と、
前記セルを前記フレーム要素と締め付けてスタックを形成するためのクランプ手段とを有する電気的エネルギー貯蔵装置において、
各貯蔵セルは、少なくとも１つの物理量、特に温度および／または電圧を測定するための測定要素もしくはセンサ要素を少なくとも１つ備えており、各測定要素もしくはセンサ要素には、測定データを伝達するためのケーブルが取り付けられており、前記フレーム要素は、測定要素もしくはセンサ要素を受容するための第１の凹部と、前記第１の凹部に接続された第２の凹部とを有しており、前記フレーム要素の前記第２の凹部は全体として、前記ケーブルを受容するための、少なくとも１つの、装置の長さに亘って延在している溝を形成し、
前記第２の凹部は、前記フレーム要素の径方向外側の縁部に向かって開放されており、
少なくとも１つの溝を密閉するためのシール装置を特徴とする電気的エネルギー貯蔵装置。
【請求項２】
前記シール装置がクリップを有していることを特徴とする請求項１に記載の電気的エネルギー貯蔵装置。
【請求項３】
極の位置が交互になっている前記貯蔵セルが前記スタック内に配置されていることを特徴とする請求項１または請求項２に記載の電気的エネルギー貯蔵装置。
【請求項４】
前記測定要素もしくはセンサ要素は、それぞれ、前記貯蔵セルの電流導体の内少なくとも１つに、好ましくは専ら同じ極性の電流導体に取り付けられていることを特徴とする請求項３に記載の電気的エネルギー貯蔵装置。
【請求項５】
前記セルが、それぞれその電流導体において、２つのフレーム要素の間で、クランプ手段を用いて摩擦接続によって締め付けられていることを特徴とする請求項１から４のいずれか一項に記載の電気的エネルギー貯蔵装置。
【請求項６】
前記クランプ手段は、複数の、好ましくは４つまたは６つのタイロッドを有しており、前記電流導体および前記フレーム要素内の孔を通って延在していることを特徴とする請求項５に記載の電気的エネルギー貯蔵装置。
【請求項７】
前記タイロッドは、電気的絶縁性の材料で覆われているか、または切れ目のない絶縁スリーブによって包囲されていることを特徴とする請求項６に記載の電気的エネルギー貯蔵装置。
【請求項８】
前記フレーム要素は、ガラスもしくはセラミック材料、またはプラスチックなどの電気的絶縁材料から形成されているとともに、導電性材料から成る接触要素を有しており、前記接触要素は、向かい合う押圧面の間に電気的フィードスルーを形成することを特徴とする請求項５から７のいずれか一項に記載の電気的エネルギー貯蔵装置。
【請求項９】
前記接触要素はスリーブであり、前記スリーブを通って前記タイロッドが延在していることを特徴とする請求項８に記載の電気的エネルギー貯蔵装置。
【請求項１０】
前記スタックは、２つの伝導性の、好ましくはフレーム状の圧力末端部によって区切られており、前記圧力末端部は、末端のフレーム要素において、前記クランプ手段によって、前記スタックに締め付けられていることを特徴とする請求項１から９のいずれか一項に記載の電気的エネルギー貯蔵装置。
【請求項１１】
前記圧力末端部は、それぞれ最初のセルもしくは最後のセルの電流導体と電気的に接続されていることを特徴とする請求項１０に記載の電気的エネルギー貯蔵装置。
【請求項１２】
前記圧力末端部は、各溝の高さにおいて通過開口部を有することを特徴とする請求項１０または１１に記載の電気的エネルギー貯蔵装置。
【請求項１３】
前記貯蔵セルが蓄電池であり、前記蓄電池において、電気化学的反応、特にリチウムイオンが関与した反応が行われることを特徴とする請求項１から１２のいずれか一項に記載の電気的エネルギー貯蔵装置。
【請求項１４】
請求項１から１３のいずれか一項に記載の電気的エネルギー貯蔵装置において使用するために形成されているフレーム要素。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
パケットベースのビデオ信号を受信及びデコードするためのクライアントシステム操作方法であって、
（ａ）ビデオ信号をエンコードするパケットベースのデータストリームを受信するステップと、
（ｂ）コンテンツマッチング条件及び取るべき対応措置を各々が指定するルール群を保持するステップと、
（ｃ）前記受信及びデコードシステムのユーザが前記ルール群を編集するためのインタフェイスを提供するステップと、
（ｄ）コンテンツが前記ルールのうちの１つで指定された条件に一致するかどうかを判断するため、前記パケットベースのデータストリームのコンテンツを解析するステップと、
（ｅ）前記解析するステップにおけるマッチング条件を判断する上で、前記ルールのうちの前記１つで指定された対応措置を実装し、前記措置で前記受信及びデコードシステムのコントロール下にあるコンポーネントのコントロールを有効にするステップと、を含み、
前記措置は、パケットベースのデータストリームに、少なくとも１つのクライアントサイドの受動的または能動的な要素を追加することを含む方法。
【請求項２】
前記パケットベースのデータストリームのコンテンツを解析するステップが、前記パケットベースのデータストリームをデコードすることと、前記デコードされた信号を解析することとを含む、請求項１に記載の方法。
【請求項３】
前記デコードされた信号を解析するステップが、前記デコードされた信号のオーディオコンポーネントを解析して、前記ルールのうちの１つで前記条件に一致するオーディオコンテンツを検出することを含む、請求項２に記載の方法。
【請求項４】
前記オーディオコンポーネントを解析するステップが、スピーチ解析技法を適用して、前記ルール群を編集するための前記インタフェイスで前記ユーザによって指定された１つもしくは複数の音声語または語のパターンとの一致を一致検出することを含む、請求項３に記載の方法。
【請求項５】
前記デコードされた信号を解析するステップが、前記デコードされた信号のビデオコンポーネントを解析して、前記ルール中の１つで前記条件に一致するビデオコンテンツを検出することを含む、請求項２に記載の方法。
【請求項６】
前記ビデオコンポーネントを解析するステップが、パターンマッチング技法を適用して、前記ルール群を編集するための前記インタフェイスで前記ユーザによって指定された視覚的要素との一致を特定することを含む、請求項５に記載の方法。
【請求項７】
前記視覚的要素が一連のテキストを含む、請求項６に記載の方法。
【請求項８】
前記対応措置を実装するステップが、前記受信及びデコードシステムのコンポーネントのコントロールを有効にする措置を実装することを含む、請求項１に記載の方法。
【請求項９】
前記受信システムの前記コンポーネントが、デコーダ、ピクチャプロセッサ、データストリームコントローラ、チャンネル選択システム、ビデオまたはオーディオ記録システム、「後で見る」リスト、番組キュー、複数の場面または視角の中から選ぶための場面選択システム、アラート通知システム、機器ディスプレイ、一体型通信クライアント（例えば、電子メール、音声またはテレビ電話通信、インスタントメッセージング、統合通信）、及び組み込みブラウザから選択される、請求項８に記載の方法。
【請求項１０】
前記対応措置を実装するステップが、前記受信及びデコードシステムによって関連付けられ且つコントロール可能なシステムのコンポーネントのコントロールを有効にする措置を実装することを含む、請求項１に記載の方法。
【請求項１１】
前記関連付けられ且つコントロール可能なシステムが、リモートコントロールユニット、テレビ、ディスプレイスクリーン、パーソナルコンピュータ、ウェブサーバ、ビデオ録画システム、及び前記受信及びデコードシステムによってコントロール許可を付与するように構成されたその他任意のシステムから選択される、請求項１０に記載の方法。
【請求項１２】
前記受信及びデコードシステムがセットトップボックス及び受信及びデコード機能を実装するために適切なソフトウェアを操作するコンピュータシステムの１つとして実装される、請求項１に記載の方法。
【請求項１３】
前記パケットベースのデータストリームを前記受信及びデコードシステムのユーザによって視聴目的で選択されない、請求項１に記載の方法。
【請求項１４】
命令をエンコードするプログラムキャリアを含むコンピュータプログラム製品であり、前記命令がパケットベースのビデオ信号を受信及びデコードするためのクライアントシステムによって実行されるとき、
（ａ）コンテンツマッチング条件及び取るべき対応措置を各々が指定するルール群を保持し、
（ｂ）前記受信及びデコードシステムのユーザが前記ルール群を編集するためのインタフェイスを提供し、
（ｃ）コンテンツが前記ルールのうちの１つで指定された条件に一致するかどうかを判断するためにビデオ信号をエンコードする受信されたパケットベースのデータストリームのコンテンツを解析し、
（ｄ）前記解析ステップにおけるマッチング条件の判断時に、前記ルールのうちの前記１つで指定された対応措置を実装し、前記措置で前記受信及びデコードシステムのコントロール下にあるコンポーネントのコントロールを有効にすることを前記命令が前記システムに有効にし、
前記措置は、パケットベースのデータストリームに、少なくとも１つのクライアントサイドの受動的または能動的な要素を追加することを含むコンピュータプログラム製品。
【請求項１５】
パケットベースのビデオ信号を受信及びデコードするためのクライアントシステムであって、
（ａ）ビデオ信号をエンコードするパケットベースのデータストリームを受信するためのネットワーク接続と、
（ｂ）コンテンツマッチング条件及び取るべき対応措置を各々が指定するルール群を記憶するメモリと、
（ｃ）前記ルール群を編集するために前記受信及びデコードシステムのユーザによって操作可能なインタフェイスと、
（ｄ）前記パケットベースのデータストリームのコンテンツが前記ルールのうちの１つで指定された条件に一致するかどうかを判断するため、前記コンテンツを解析するコンテンツ解析システムと、
（ｅ）前記解析するステップにおけるマッチング条件の判断時に、前記ルールのうちの前記１つで指定された対応措置を実装し、前記措置で前記受信及びデコードシステムのコントロール下にあるコンポーネントのコントロールを有効にするようにプログラムされたプロセッサと、を含み、
前記措置は、パケットベースのデータストリームに、少なくとも１つのクライアントサイドの受動的または能動的な要素を追加することを含むクライアントシステム。
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
少なくとも１つのコントローラと少なくとも１つの装置とを有する無線ホームオートメーションシステムを制御する方法であって、
前記コントローラから前記装置へ、開始コマンドを送信するステップと、
前記コントローラから前記装置へ、停止コマンドを送信するステップと、
を有し、
前記停止コマンドは、前記少なくとも１つの装置によって実行される動作ステップの総数に対応するコントローラカウンタを含む、方法。
【請求項２】
請求項１に記載の方法であって、２つ以上の装置を有する方法。
【請求項３】
請求項１又は請求項２に記載の方法であって、前記開始コマンドが、動作タイプ、トランザクションＩＤ及び／又は動作レート若しくは移行時間ｔに対するステップ数ｎを含む方法。
【請求項４】
請求項１ないし３の何れか一項に記載の方法であって、更新されたコントローラカウンタを含む中間コマンドを送信するステップを更に有する方法。
【請求項５】
請求項４に記載の方法であって、前記中間コマンドが、前記トランザクションＩＤ、前記動作タイプ、及び／又は前記動作レート若しくは前記移行時間ｔに対するステップ数ｎを更に含む方法。
【請求項６】
請求項１ないし５の何れか一項に記載の方法であって、
各装置から前記コントローラへ、装置カウンタを含む停止アクノレッジを送信するステップと、
前記コントローラにより、全装置から停止アクノレッジが受信されたか、及び／又は受信された全ての装置カウンタが前記コントローラカウンタに対応するかをチェックするステップと、
或る装置からの前記停止アクノレッジがないか、及び／又は或る装置カウンタが前記コントローラカウンタとは相違する場合、前記コントローラから前記停止コマンドを含む停止訂正コマンドを送信するステップと、
を更に有する方法。
【請求項７】
請求項６に記載の方法であって、前記誤った装置が前記コントローラへ停止訂正アクノレッジを送信する方法。
【請求項８】
請求項１ないし７の何れか一項に記載の方法であって、前記装置からのアクノレッジが装置固有の遅延時間を伴って送信される方法。
【請求項９】
請求項１ないし８の何れか一項に記載の方法であって、
各装置の装置カウンタ及び対応する装置状態を、該装置カウンタが前記コントローラカウンタと一致しない場合に訂正するステップ、
を更に有する方法。
【請求項１０】
請求項１に記載の方法であって、前記ホームオートメーションシステムが照明システムを有し、前記装置により実行される前記動作が調光動作を有する方法。
【請求項１１】
少なくとも１つの装置と、
前記少なくとも１つの装置と無線で通信し、開始コマンド及び停止コマンドを送信する少なくとも１つのコントローラと、
を有し、
前記停止コマンドは、前記少なくとも１つの装置によって実行される動作ステップの総数に対応するコントローラカウンタを含む、ホームオートメーションシステム。
【請求項１２】
請求項１１に記載のホームオートメーションシステムであって、前記コントローラが、前記装置から受信された停止コマンドのアクノレッジをチェックすると共に、誤った装置に停止訂正コマンドを送信するホームオートメーションシステム。
【請求項１３】
請求項１１又は請求項１２に記載のホームオートメーションシステムであって、当該ホームオートメーションシステムが光源及び／又は光遮蔽体を備える照明制御システムを有し、当該動作が光特性の変更を含むホームオートメーションシステム。
【請求項１４】
請求項１１又は請求項１２に記載のホームオートメーションシステムであって、当該ホームオートメーションシステムがスピーカを備える音響制御装置を有し、及び／又は当該動作が音響調整動作を含むホームオートメーションシステム。
【請求項１５】
ホームオートメーションシステムを制御するコントローラであって、少なくとも１つの装置に開始コマンドを送信すると共に、前記少なくとも１つの装置に停止コマンドを送信し、
前記停止コマンドは、前記少なくとも１つの装置によって実行される動作ステップの総数に対応するコントローラカウンタを含む、コントローラ。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
リモコンによって複数の光源のうちの光源を選択する方法であって、
前記リモコンが、全方向性送信によって、前記光源が、各光源に対して固有であるコードを有する指向性信号を各々送信するように指示するステップと、
前記リモコンが、前記光源からの前記指向性信号を受け取るステップと、
前記リモコンが、受け取られた前記指向性信号に基づいて前記光源のうちの１つを選択するステップと、
前記光源から離れて、前記光源によって送信されるコードを生成するステップと、
前記リモコンが、前記光源の各々に、離れて生成されたコードのどれを送信するべきであるかを指示するステップと、
を有する方法。
【請求項２】
各コードは、一連の１つ以上のコード記号から成り、
前記リモコンが、前記光源の各々に、離れて生成されたコードのどれを送信するべきであるかを指示するステップは、前記リモコンが、一度には１つのコード記号であって、異なる時間において前記コード記号を送信するように、かつ、どの前記コード記号をいつ送信すべきであるかを前記光源に指示するステップを有する、
請求項１に記載の方法。
【請求項３】
前記リモコンは、前記コードの生成を実施する、請求項１又は２に記載の方法。
【請求項４】
前記リモコンが少なくとも１つのコード記号を含む予め規定されているコード記号の集合を前記光源に提供するステップ、を有する請求項２又は３に記載の方法。
【請求項５】
所定のコード記号の前記集合は、前記光源の総数の変化に依存して動的に更新される、請求項４に記載の方法。
【請求項６】
前記コード記号を、振幅及び周波数の一方の一次フィーチャを有する一群のコード記号から選択するステップを有する、請求項２乃至５の何れか一項に記載の方法。
【請求項７】
前記コードを生成する前に、機能に関して光源に問い合わせるステップを有する、請求項１乃至６の何れか一項に記載の方法。
【請求項８】
前記光源の異なる部分集合に関して異なる特性を備えるコードを決定するステップを有する、請求項１乃至７の何れか一項に記載の方法。
【請求項９】
単一の放送において幾つかの光源に指示するステップを有する、請求項１乃至８の何れか一項に記載の方法。
【請求項１０】
前記リモコンが、受け取られた前記指向性信号の測定における信号対雑音比を改善するように前記光源のコードを最適に変化させるステップを有する、請求項１乃至９の何れか一項に記載の方法。
【請求項１１】
前記コードは、例えば、ＴＤＭＡシステム、ＦＤＭＡシステム及びＣＤＭＡシステムのうちの少なくとも１つを生成するように、生成される、請求項１乃至１０の何れか一項に記載の方法。
【請求項１２】
前記リモコンが、１つの光源の選択の後に、前記光源の選択の前に自身が有していた設定に戻るように前記光源に指示するステップを有する、請求項１乃至１１の何れか一項に記載の方法。
【請求項１３】
複数の光源と、前記複数の光源から光源を選択するためのリモコンとを有する照明システムであって、
前記リモコンは、全方向性送信器を有していると共に、全方向性送信器によって、各光源に固有であるコードを有する指向性信号を送信するように前記光源に指示し、
前記リモコンは、指向性信号受信器を有しており、前記光源から前記指向性信号を受け取り、
前記リモコンは、前記指向性信号受信器と接続されている信号比較回路を有していると共に、受け取られた前記指向性信号に基づいて前記光源の１つを選択する、照明システムにおいて、
前記照明システムは、前記光源によって送信されるべきコードを、前記光源から離れて、生成するコード生成手段を有し、
前記リモコンは、前記光源の各々に、離れて生成されたコードのどれを送信するべきかを指示する、
る照明システム。
【請求項１４】
あらゆるコードは、一連の１つ以上のコード記号から成り、前記リモコンは、一度には１つのコード記号であって、異なる時間において前記コード記号を送信する異なる時間において前記コード記号を送信するように及びどのコードを送信するべきかを、前記光源に指示する、請求項１３に記載の照明システム。
【請求項１５】
前記リモコンは、コードの生成を実施する、請求項１３又は１４に記載の照明システム。
【手続補正書】
【提出日】平成25年6月13日(2013.6.13)
【手続補正１】
【補正対象書類名】特許請求の範囲
【補正対象項目名】請求項５
【補正方法】変更
【補正の内容】
【請求項５】
請求項１に記載のデータ管理システムにおいて、前記データは前記処理されたデータに基づいて選択されたコンテンツであることを特徴とするデータ管理システム。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
a) 可溶性の宿主細胞タンパク質から封入体として見出されない不溶性の組換えタンパク質を分離する工程と；
b) 分離した組換えタンパク質を可溶化する工程と
を含み、前記組換えタンパク質が変異型オキサレート低減酵素であり、変異がyvrk遺伝子のシステインコドンの位置にある宿主細胞の細胞質において不溶性であり、封入体として見出されない組換えタンパク質の単離方法。
【請求項２】
c) 可溶化された組換えタンパク質を、可溶化溶液から単離する工程
をさらに含む請求項１に記載の方法。
【請求項３】
組換えタンパク質を分離する工程が、遠心分離又は濾過を含む請求項１又は２に記載の方法。
【請求項４】
組換えタンパク質を可溶化する工程が、結合リガンドを加える工程又はタンパク質が可溶性であるpHを提供する工程を含む請求項１〜３のいずれか１項に記載の方法。
【請求項５】
単離する工程が、可溶化溶液から組換えタンパク質を沈殿させる工程を含む請求項２〜４のいずれか１項に記載の方法。
【請求項６】
沈殿させた組換えタンパク質を洗浄する工程をさらに含む請求項５に記載の方法。
【請求項７】
組換えタンパク質が、配列番号3、配列番号4、配列番号5、配列番号6、配列番号7、配列番号8、配列番号9、配列番号10、配列番号11、配列番号12、配列番号13、配列番号14、配列番号15、配列番号16、配列番号17、配列番号18又は配列番号19から選択される配列によりコードされる請求項１〜６のいずれか１項に記載の方法。
【請求項８】
組換えタンパク質が、OxDC野生型組換えタンパク質のC383S変異型又は配列番号3、配列番号4、配列番号5、配列番号6、配列番号7若しくは配列番号8から選択される配列によりコードされるタンパク質である請求項１〜６のいずれか１項に記載の方法。
【請求項９】
組換えタンパク質が、OxDC野生型組換えタンパク質のC383A若しくはC383R変異型又は配列番号9、配列番号10、配列番号11、配列番号12、配列番号13、配列番号14、配列番号15、配列番号16、配列番号17、配列番号18若しくは配列番号19から選択される配列によりコードされるタンパク質である請求項１〜６のいずれか１項に記載の方法。
【請求項１０】
請求項１〜９のいずれか１項に定義されるようにして単離される１又はそれより多い組換えタンパク質とポリマー材料とを含む噴霧乾燥粒子。
【請求項１１】
組換えタンパク質が、オキサレート低減酵素である請求項１０に記載の噴霧乾燥粒子。
【請求項１２】
１又はそれより多いオキサレート低減酵素が、オキサレートデカルボキシラーゼ、オキサレートオキシダーゼ又はオキサリル-CoAデカルボキシラーゼ及びフォルミルCoAトランスフェラーゼの組合せ、或いは１よりも多い酵素の組合せである請求項１１に記載の噴霧乾燥粒子。
【請求項１３】
１又はそれより多いオキサレート低減酵素が、オキサレートデカルボキシラーゼである請求項１１又は１２に記載の噴霧乾燥粒子。
【請求項１４】
オキサレート低減酵素が、OxDC野生型組換えタンパク質の C383S変異型又は配列番号3、配列番号4、配列番号5、配列番号6、配列番号7若しくは配列番号8から選択される配列によりコードされるタンパク質である請求項１１又は１２のいずれか１項に記載の噴霧乾燥粒子。
【請求項１５】
オキサレート低減酵素が、OxDC野生型組換えタンパク質のC383A若しくはC383R変異型又は配列番号9、配列番号10、配列番号11、配列番号12、配列番号13、配列番号14、配列番号15、配列番号16、配列番号17、配列番号18若しくは配列番号19から選択される配列によりコードされるタンパク質である請求項１１又は１２のいずれか１項に記載の噴霧乾燥粒子。
【請求項１６】
１又はそれより多いオキサレート低減酵素の活性が、3.2のpHを有する3.2 mg/mlのペプシン溶液中で40分間インキュベートされるとき、最初の活性を100％と設定して、最大限30％まで減少される請求項１１〜１５のいずれか１項に記載の噴霧乾燥粒子。
【請求項１７】
ポリマー材料が、ポリ（メタ）アクリレートである請求項１０〜１６のいずれか１項に記載の噴霧乾燥粒子。
【請求項１８】
請求項１０〜１７のいずれか１項に記載の噴霧乾燥粒子を含む組成物。
【請求項１９】
組成物が、経口剤形である請求項１８に記載の組成物。
【請求項２０】
サシェ、錠剤、カプセル剤、チュアブル錠、速溶錠、口腔内崩壊錠、液剤、シロップ剤又はエリキシル剤の形態或いはその他の送達用形態にある請求項１８又は１９に記載の組成物。
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
アルツハイマー病の発病し易さ、またはその存在についてスクリーニングするまたは診断するための方法であって、
（ａ）試験される個体の身体から抽出された組織試料を提供するステップであって、前記組織試料は、染色体１１上のＰＩＣＡＬＭ遺伝子を含む少なくとも１つの座を含有するステップ、
（ｂ）ＳＮＰ  ｒｓ３８５１１７９が存在するかどうかを同定するために前記座を検査するステップ、および
（ｃ）ＳＮＰ  ｒｓ３８５１１７９が存在する場合、試料を抽出した個体が、アルツハイマー病を発病する可能性が高いまたは罹患していると結論するステップ、を含む方法。
【請求項２】
前記ステップ（ａ）において、さらに、以下の群、染色体１上の補体受容体１遺伝子（ＣＲ１）、染色体２上のブリッジングインテグレーター１遺伝子（ＢＩＮ１）、染色体１９上のＡＴＰ結合カセット、サブファミリーＡ、メンバー７（ＡＢＣＡ７）、および染色体１１上の膜貫通４Ａ（ＭＳ４Ａ）遺伝子クラスターから選択される少なくとも１つの座を含有する組織試料を提供すること、
前記ステップ（ｂ）において、さらに、任意の１つまたは複数の以下のＳＮＰ、ＣＲ１におけるｒｓ１４０８０７７、ｒｓ６７０１７１３、またはｒｓ３８１８３６１；ＢＩＮ１におけるｒｓ７５６１５２８またはｒｓ７４４３７３；ＡＢＣＡ７におけるｒｓ３７６４６５０；およびＭＳ４Ａ遺伝子クラスターにおけるｒｓ６７０１３９、ｒｓ６１０９３２、ｒｓ６７６３０９、ｒｓ６６７８９７、ｒｓ６６２１９６、ｒｓ５８３７９１、またはｒｓ１５６２９９０が存在するかどうか知るために前記さらなる座を検査すること、および、
前記ステップ（ｃ）において、前記１つまたは複数のＳＮＰが存在する場合、試料を抽出した個体が、アルツハイマー病を発病する可能性が高いまたは罹患していると結論すること、を含む請求項１に記載の方法。
【請求項３】
前記ステップ（ｂ）において、さらに、またはその代わりに、ｒｓ５６１６５５、またはｒｓ５９２２９７が存在するかどうかを同定するために前記座が検査され、
前記ステップ（ｃ）において、ｒｓ５６１６５５、またはｒｓ５９２２９７が存在する場合に、試料を抽出した個体が、アルツハイマー病を発病する可能性が高いまたは罹患していると結論すること、を含む請求項１に記載の方法。
【請求項４】
前記検査される遺伝子座またはクラスターに相補的な少なくとも１つの標識されたオリゴヌクレオチドが、前記ＳＮＰを検出するために使用され、前記オリゴヌクレオチドが、前記ＳＮＰに結合することにより、検出する際に、前記ＳＮＰの存在を表す検出可能なシグナルを発する、請求項１から３のいずれか一項に記載の方法。
【請求項５】
前記組織試料が、ステップ（ｂ）を実行する前にＰＣＲ増幅される、請求項１から４のいずれか一項に記載の方法。
【請求項６】
前記組織が、ステップ（ｂ）を実行する前に酵素により断片化される、請求項１から５のいずれか一項に記載の方法。
【請求項７】
前記相補的オリゴヌクレオチドが、固相または基質に付着または結合し、前記組織試料が、ステップ（ｂ）を実行する前に前記固相に曝露される、請求項４から６のいずれか一項に記載の方法。
【請求項８】
アルツハイマー病の発病し易さ、またはその存在についてスクリーニングするまたは診断するためのキットであって、
染色体１１上のＰＩＣＡＬＭ遺伝子の座または遺伝子クラスターに相補的な少なくとも１つのオリゴヌクレオチドを含み、前記オリゴヌクレオチドが、１つまたは複数の以下のＳＮＰ、ＰＩＣＡＬＭにおけるｒｓ３８５１１７９、ｒｓ５６１６５５、またはｒｓ５９２２９７を検出することができ、
さらに、前記オリゴヌクレオチドが、前記ＳＮＰに結合する際に検出可能なシグナルを発する標識を備える、キット。
【請求項９】
アルツハイマー病の発病し易さ、またはその存在についてスクリーニングするまたは診断するためのキットであって、
染色体１１上のＰＩＣＡＬＭ遺伝子、の座または遺伝子クラスターに相補的な少なくとも１つのオリゴヌクレオチドを含み、前記オリゴヌクレオチドが、１つまたは複数の以下のＳＮＰ、ＰＩＣＡＬＭにおけるｒｓ３８５１１７９、ｒｓ５６１６５５、またはｒｓ５９２２９７を検出することができ、
さらに、前記キットが、前記オリゴヌクレオチドと組み合わせて使用される標識手段を含み、それによって、前記ＳＮＰへのオリゴヌクレオチドの結合は、標識手段が前述の結合を検出することを可能にし、したがって、前記ＳＮＰの存在を表すシグナルを生成する、キット。
【請求項１０】
前記オリゴヌクレオチドが、固体担体上に固定される、請求項８または９に記載のキット。
【請求項１１】
アルツハイマー病の発病し易さ、またはその存在についてスクリーニングするまたは診断するための方法であって、
（ａ）試験される個体の身体から抽出された組織試料を提供するステップであって、前記組織試料は、染色体１１上のＰＩＣＡＬＭ遺伝子を含む少なくとも１つの座を含有するステップ、
（ｂ）ＰＩＣＡＬＭにおける、それと連鎖不平衡にあるＳＮＰ  ｒｓ３８５１１７９および／またはＳＮＰ  ｒｓ５６１６５５またはｒｓ５９２２９７が存在するかどうかを同定するために前記座を検査するステップ、および
（ｃ）前記ＳＮＰのいずれか１つまたは複数が存在する場合に、試料を抽出した個体が、アルツハイマー病を発病する可能性が高いまたはそれに罹患しているという結論するステップ、を含む方法。
【請求項１２】
染色体１１上のＰＩＣＡＬＭ遺伝子の１つまたは複数の遺伝子座またはクラスターを含み、さらに、以下の変異体；ＳＮＰ  ｒｓ３８５１１７９；ＳＮＰ  ｒｓ５６１６５５；およびＳＮＰ  ｒｓ５９２２９７の１つまたは複数を含む核酸分子。
【請求項１３】
染色体１１上のＰＩＣＡＬＭ遺伝子を含む細胞または細胞系であって、以下のＳＮＰ、ｒｓ３８５１１７９をさらに含む、細胞または細胞系。
【請求項１４】
ＳＮＰ  ｒｓ５６１６５５またはＳＮＰ  ｒｓ５９２２９７をさらに含む、請求項１３に記載の細胞または細胞系。
【請求項１５】
機能的エンドサイトーシス経路、またはアポトーシス経路を含む、請求項１３または１４に記載の細胞または細胞系。
【請求項１６】
治療薬、標識、または同定手段が、ＡＤを治療する、ＡＤを標識する、または同定するために各々使用することができるかどうかを試験するための、請求項１３から１５のいずれか一項に記載の細胞または細胞系の使用。
【請求項１７】
試験物質に前記細胞または細胞系を曝露するステップ、および、前記細胞または細胞系のエンドサイトーシス経路、またはアポトーシス経路に対する前記物質の効果、あるいは、前記試験物質が、前記ＳＮＰを標識するもしくは同定することによって前記細胞または細胞系を標識するもしくは同定する能力を観察するステップ、を含む、請求項１６に記載の使用。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
デジタル装置によって１又はそれ以上の無線ネットワークを求めて領域を走査するステップと、
デジタル装置によって前記１又はそれ以上の無線ネットワークに関連する１又はそれ以上のＢＳＳＩＤを受け取るステップと、
デジタル装置によって前記１又はそれ以上のＢＳＳＩＤを含む位置要求を、ＤＮＳプロトコルフォーマットのメッセージで生成するステップと、
デジタル装置によって前記位置要求を提供するステップと、
デジタル装置によって前記位置要求に基づく位置応答を受け取るステップと、
前記位置応答から少なくとも１つの位置識別子を取り出し、前記位置識別子は前記位置要求の１又はそれ以上のＢＳＳＩＤにもとづいて複数の位置識別子から選択されるステップと、
を含むことを特徴とするネットワークを介して位置を特定するための方法。
【請求項２】
前記位置応答は、ＤＮＳプロトコルとしてフォーマットされる、
ことを特徴とする請求項１に記載の方法。
【請求項３】
前記位置要求の中の前記１又はそれ以上のＢＳＳＩＤを符号化するステップをさらに含む、
ことを特徴とする請求項１に記載の方法。
【請求項４】
前記位置応答から取り出した少なくとも１つの位置識別子を復号するステップをさらに含む、
ことを特徴とする請求項１に記載の方法。
【請求項５】
前記位置要求は、ネットワークアクセス装置のオープンポートを使用して前記１つ又はそれ以上の無線ネットワークの１つのネットワーク上の位置サーバに提供され、前記ネットワークアクセスは、前記デジタル装置に前記１又はそれ以上の無線ネットワークの前記１つへのアクセスを提供する、
ことを特徴とする請求項１に記載の方法。
【請求項６】
前記オープンポートは、ポート５３である、
ことを特徴とする請求項５に記載の方法。
【請求項７】
前記少なくとも１つの位置識別子は、緯度及び経度を含む、
ことを特徴とする請求項１に記載の方法。
【請求項８】
前記少なくとも１つの位置識別子を、前記デジタル装置のアプリケーションに提供するステップをさらに含む、
ことを特徴とする請求項１に記載の方法。
【請求項９】
ＧＰＳ座標及び１又はそれ以上のネットワーク装置識別子をサーバに提供するステップをさらに含む、
ことを特徴とする請求項１に記載の方法。
【請求項１０】
１又はそれ以上の無線ネットワークを求めて領域を走査し、前記１又はそれ以上の無線ネットワークに関連する１又はそれ以上のＢＳＳＩＤを受け取るように構成されたデジタル装置の走査モジュールと、
前記１又はそれ以上のＢＳＳＩＤを含む位置要求を、ＤＮＳプロトコルフォーマットのメッセージで生成し、前記位置要求を提供するように構成されたデジタル装置のＤＮＳモジュールと、
前記位置要求に基づく位置応答を受け取り、前記位置応答から少なくとも１つの位置識別子を取り出すように構成されたデジタル装置の位置モジュールと、前記位置識別子は前記位置要求の前記１又はそれ以上のＢＳＳＩＤにもとづいて複数の位置識別子から選択されることを特徴とするネットワークを介して位置を特定するためのシステム。
【請求項１１】
前記位置応答は、ＤＮＳプロトコルとしてフォーマットされる、
ことを特徴とする請求項１０に記載のシステム。
【請求項１２】
前記ＤＮＳモジュールは、前記位置要求の中の前記１又はそれ以上のＢＳＳＩＤを符号化するようにさらに構成される、
ことを特徴とする請求項１０に記載のシステム。
【請求項１３】
前記位置モジュールは、前記位置応答から取り出した前記少なくとも１つの位置識別子を復号するようにさらに構成される、
ことを特徴とする請求項１０に記載のシステム。
【請求項１４】
前記ＤＮＳモジュールは、ネットワークアクセス装置のオープンポートを使用して前記１又はそれ以上の無線ネットワークの１つのネットワーク上の位置サーバに前記位置要求を提供するように構成され、前記ネットワークアクセスは前記デジタル装置に前記１又はそれ以上の無線ネットワークの前記１つへのアクセスを提供する、
ことを特徴とする請求項１０に記載のシステム。
【請求項１５】
前記オープンポートは、ポート５３である、
ことを特徴とする請求項１４に記載のシステム。
【請求項１６】
前記少なくとも１つの位置識別子は、緯度及び経度を含む、
ことを特徴とする請求項１０に記載のシステム。
【請求項１７】
前記位置モジュールは、前記デジタル装置のアプリケーションに前記少なくとも１つ位置識別子を提供するようにさらに構成される、
ことを特徴とする請求項１０に記載のシステム。
【請求項１８】
前記ＤＮＳモジュールは、ＧＰＳ座標及び１又はそれ以上のネットワーク装置識別子をサーバに提供するようにさらに構成される、
ことを特徴とする請求項１０に記載のシステム。
【請求項１９】
デジタル装置によって１又はそれ以上の無線ネットワークを求めて領域を走査するステップと、
デジタル装置によって前記１又はそれ以上の無線ネットワークに関連する１又はそれ以上のＢＳＳＩＤを受け取るステップと、
デジタル装置によって前記１又はそれ以上のＢＳＳＩＤを含む位置要求を、ＤＮＳプロトコルフォーマットのメッセージで生成するステップと、
デジタル装置によって前記位置要求を提供するステップと、
前記位置要求に基づく位置応答を受け取るステップと、
デジタル装置によって前記位置応答から少なくとも１つの位置識別子を取り出すステップと、前記位置識別子は前記位置要求の前記１又はそれ以上のＢＳＳＩＤにもとづいて複数の位置識別子から選択される、
方法を実行する命令を記憶したことを特徴とする持続性コンピュータ可読記憶媒体。
【請求項２０】
前記位置応答は、ＤＮＳプロトコルとしてフォーマットされる、
ことを特徴とする請求項１９に記載の持続性コンピュータ可読記憶媒体。
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
下記化学式ＩＩＩで表される化合物、又はその薬学的に許容される塩若しくは溶媒和物。
【化３】
2012531433.tif 000001
（式中、Ｘは、Ｃ−ＣＮを表し、Ｒ１５は、それぞれ独立して、炭素数が１〜６のアルキル基、及び炭素数が１〜６の少なくとも部分的に重水素化されたアルキル基から選択され、Ｒ１６は、水素原子又は重水素原子を表す。）
【請求項２】
下記から選択される化合物、又はその薬学的に許容される塩若しくは溶媒和物。
(E)-N-(4-(3-クロロ-4-(ピリジン-2-イルメトキシ)フェニルアミノ)-3-シアノ-7-エトキシキノリン-6-イル)-4-(ジメチル-d6-アミノ)ブト-2-エナミド、(E)-N-(3-シアノ-7-エトキシ-4-(3-エチニルフェニルアミノ)キノリン-6-イル)-4-(ジメチルアミノ)ブト-2-エナミド、及び(E)-N-(3-シアノ-7-エトキシ-4-(3-エチニルフェニルアミノ)キノリン-6-イル)-4-(ジメチル-d6-アミノ)ブト-2-エナミド。
【請求項３】
請求項１又は２に記載の化合物及び薬学的に許容される担体から成る医薬組成物。
【請求項４】
下記化学式ＩＩＩで表される化合物、又はその薬学的に許容される塩若しくは溶媒和物
【化３】
2012531433.tif 000002
（式中、Ｘは、Ｃ−ＣＮを表し、Ｒ１５は、それぞれ独立して、炭素数が１〜６のアルキル基、及び炭素数が１〜６の少なくとも部分的に重水素化されたアルキル基から選択され、Ｒ１６は、水素原子又は重水素原子を表す。）から成る腫瘍形成を治療するための医薬組成物。
【請求項５】
前記腫瘍形成が、非小細胞癌、乳癌、白血病、大腸癌、腎細胞腫、消化器官間葉性癌、充実性腫瘍、脳腫瘍、神経膠芽細胞腫、多発性骨髄腫、膵癌、非ホジキンリンパ腫、肝細胞癌、甲状腺癌、膀胱癌、結腸癌、及び前立腺癌から選択される請求項４に記載の医薬組成物。
【請求項６】
前記腫瘍形成が、非小細胞癌又は乳癌である請求項４に記載の医薬組成物。